(57)【要約】【課題】ワイヤレス通信システムにおいて、アプリケーション・サーバと移動体加入者との間におけるワイヤレス・トランザクションの回数を削減する方法およびシステムを提供する。【解決手段】通信システムは、アプリケーション・サーバを通じてネットワーク・デバイスと通信する複数のワイヤレス移動体加入者を含む。移動体加入者の各々は、軽量クライアントを含み、アプリケーション・サーバは、移動体加入者毎にエリアスを含む。移動体加入者とネットワーク・デバイスとの間のセッション毎に、アプリケーション・サーバは、所与のプロトコルにしたがって、移動体加入者上に位置するクライアントにおいて処理することを意図したネットワーク・デバイスからの通信を受信する。システムは、移動体加入者上の軽量クライアントとアプリケーション・サーバ上にある移動体加入者毎のエリアスとの間において、通信の処理を分散させて、軽量クライアントが実行する処理、および移動体加入者とアプリケーション・サーバとの間におけるワイヤレス・トランザクションの回数を削減する。【選択図】      図３
2009515485.tif 000002
【特許請求の範囲】
【請求項１】
アプリケーション・サーバを通じてネットワーク・デバイスと通信する複数のワイヤレス移動体加入者を有するワイヤレス通信システムにおいて、前記アプリケーション・サーバと前記移動体加入者との間におけるワイヤレス・トランザクションの回数を削減する方法であって、
前記移動体加入者の各々に、軽量クライアントを設けるステップと、
前記アプリケーション・サーバ上に、移動体加入者毎にエリアスを設けるステップと、
移動体加入者とネットワーク・デバイスとの間のセッション毎に、
（ａ）所与のプロトコルにしたがって、前記移動体加入者上に位置するクライアントにおいて処理することを意図した前記ネットワーク・デバイスからの通信を、前記アプリケーション・サーバにおいて受信するステップと、
（ｂ）前記軽量クライアントが実行する処理、および前記移動体加入者と前記アプリケーション・サーバとの間におけるワイヤレス・トランザクションの回数を削減するために、前記移動体加入者上の軽量クライアントと前記アプリケーション・サーバ上にある前記移動体加入者毎のエリアスとの間において、前記通信の処理を分散させるステップと、
を備えている、方法。
【請求項２】
請求項１記載の方法において、前記ワイヤレス通信システムは３Ｇネットワークである、方法。
【請求項３】
請求項１記載の方法において、前記プロトコルは、セッション開始プロトコルである、方法。  
【請求項４】
請求項１記載の方法において、前記プロトコルはＨ．３２３プロトコルである、方法。
【請求項５】
請求項１記載の方法において、前記ネットワーク・デバイスは、ネットワーク・サーバまたはメディア・サーバを備えている、方法。
【請求項６】
請求項１記載の方法において、前記移動体加入者は、セルラ・フォン、パーソナル・ディジタル・アシスタント、またはモバイル・パーソナル・コンピュータを備えている、方法。
【請求項７】
請求項１記載の方法において、前記移動体加入者の各々に軽量クライアントを設けるステップは、前記システムから前記移動体加入者の各々上において前記軽量クライアントをダウンロードすることを含む、方法。
【請求項８】
請求項１記載の方法において、前記ネットワーク・デバイスは、前記移動体加入者に、前記セッションにおいてアプリケーションまたはサービスへのアクセスを提供し、前記アプリケーションまたはサービスは、インスタント・メッセージング、プッシュ・ツー・トーク・サービス、インタラクティブ・ゲーム、音楽ストリーミング、ビデオ・ストリーミング、音声会議、ビデオ会議、またはウェブ会議を備えている、方法。
【請求項９】
ワイヤレス通信システムであって、
アプリケーション・サーバと、
前記アプリケーション・サーバを通じて、ネットワーク内においてデバイスと通信する複数のワイヤレス移動体加入者と、
を備えており、
前記移動体加入者の各々は、軽量クライアントを含み、前記アプリケーション・サーバは、移動体加入者毎にエリアスを含み、
移動体加入者とネットワーク・デバイスとの間におけるセッション毎に、前記アプリケーション・サーバが、所与のプロトコルにしたがって、前記移動体加入者上に位置するクライアントにおいて処理することを意図した前記ネットワーク・デバイスからの通信を受信し、前記軽量クライアントが実行する処理、および前記移動体加入者と前記アプリケーション・サーバとの間におけるワイヤレス・トランザクションの回数を削減するために、前記移動体加入者上の軽量クライアントと前記アプリケーション・サーバ上にある前記移動体加入者毎のエリアスとの間において、前記通信の処理を分散させる、ワイヤレス通信システム。
【請求項１０】
請求項９記載のシステムにおいて前記ワイヤレス通信システムは３Ｇネットワークである、システム。
【請求項１１】
請求項９記載のシステムにおいて、前記プロトコルは、セッション開始プロトコルである、システム。  
【請求項１２】
請求項９記載のシステムにおいて、前記プロトコルはＨ．３２３プロトコルである、システム。
【請求項１３】
請求項９記載のシステムにおいて、前記ネットワーク・デバイスは、ネットワーク・サーバまたはメディア・サーバを備えている、システム。
【請求項１４】
請求項９記載のシステムにおいて、前記移動体加入者は、セルラ・フォン、パーソナル・ディジタル・アシスタント、またはモバイル・パーソナル・コンピュータを備えている、システム。
【請求項１５】
請求項９記載のシステムにおいて、前記移動体加入者の各々において前記軽量クライアントをダウンロードする、システム。
【請求項１６】
請求項９記載のシステムにおいて、前記ネットワーク・デバイスは、前記移動体加入者に、前記セッションにおいてアプリケーションまたはサービスへのアクセスを提供し、前記アプリケーションまたはサービスは、インスタント・メッセージング、プッシュ・ツー・トーク・サービス、インタラクティブ・ゲーム、音楽ストリーミング、ビデオ・ストリーミング、音声会議、ビデオ会議、またはウェブ会議を備えている、システム。
【請求項１７】
アプリケーション・サーバを通じてネットワーク・デバイスと通信する複数のワイヤレス移動体加入者を有するワイヤレス通信システム内の前記アプリケーション・サーバにおいて、移動体加入者とネットワーク・デバイスとの間の各セッションに対して、前記アプリケーション・サーバと前記移動体加入者との間におけるワイヤレス・トランザクションの回数を削減する方法であって、
（ａ）所与のプロトコルにしたがって、前記移動体加入者上に位置するクライアントにおいて処理することを意図した前記ネットワーク・デバイスからの通信を、前記アプリケーション・サーバにおいて受信するステップと、
（ｂ）前記移動体加入者が実行する処理、および前記移動体加入者と前記アプリケーション・サーバとの間におけるワイヤレス・トランザクションの回数を削減するために、前記移動体加入者上のクライアントと前記アプリケーション・サーバ上の前記移動体加入者毎のエリアスとの間において、終点プロトコル機能性を分散させるように、前記移動体加入者毎のエリアスを用いて、前記通信の一部を前記アプリケーション・サーバにおいて処理し、前記移動体加入者と協同するステップと、
を備えている、方法。
【請求項１８】
請求項１７記載の方法において、前記ワイヤレス通信システムは３Ｇネットワークである、方法。
【請求項１９】
請求項１７記載の方法において、前記プロトコルは、セッション開始プロトコルである、方法。  
【請求項２０】
請求項１７記載の方法において、前記プロトコルはＨ．３２３プロトコルである、方法。
【請求項２１】
請求項１７記載の方法において、前記ネットワーク・デバイスは、ネットワーク・サーバまたはメディア・サーバを備えている、方法。
【請求項２２】
請求項１７記載の方法において、前記移動体加入者は、セルラ・フォン、パーソナル・ディジタル・アシスタント、またはモバイル・パーソナル・コンピュータを備えている、方法。
【請求項２３】
請求項１７記載の方法において、前記ネットワーク・デバイスは、前記移動体加入者に、前記セッションにおいてアプリケーションまたはサービスへのアクセスを提供し、前記アプリケーションまたはサービスは、インスタント・メッセージング、プッシュ・ツー・トーク・サービス、インタラクティブ・ゲーム、音楽ストリーミング、ビデオ・ストリーミング、音声会議、ビデオ会議、またはウェブ会議を備えている、方法。
【発明の詳細な説明】
【技術分野】
【０００１】
本発明は、一般的には、移動体通信ネットワークに関し、更に特定すれば、移動体加入者セッションにおいて無線データ・トランザクションの回数を削減するための軽量通信プロトコルに関するものである。
【背景技術】
【０００２】
近年、ＳＩＰ（セッション開始プロトコル）が通信プロトコルとしてその普及が非常に増大している。ＳＩＰは、ワールド・ワイド・ウェブが用いる基礎的プロトコルであるＨＴＴＰ（ハイパー・テキスト転送プロトコル）を模範とし、ＨＴＴＰがウェブに旋風を巻き起こしたのと同様に、電気通信に旋風を巻き起こすことが、広く期待されている。ＳＩＰは、駆動要求によって、アクセスに依存せず包括的な、緩慢で柔軟性のあるプロトコルが作成される、有線ブロードバンドの世界にその起源を有する。このプロトコルの柔軟性のために、標準的な本体(bodies)がユーザ終点上において通信プロトコルとしてＳＩＰを選択し始めている。しかしながら、帯域幅要件およびトランザクション速度は、強調されていない。
【０００３】
移動体ネットワークは、２Ｇ規格から３Ｇ規格への変換および移動がなされつつある。３Ｇによって、移動体終点に対する高速データ・アクセスが可能となり、多くのマルチメディア・サービスへの門戸を開放することができる。しかしながら、３Ｇが高速データ・アクセスを提供するとは言え、かなり加入過剰(oversubscribed)となっている。即ち、ユーザ／チャネル比が非常に高い（有線ネットワークにおいて通例５であるのと比較して、市場によっては１００よりも高い場合もある）。重度な加入過剰は、主に、移動体アクセス・ネットワークをセットアップする際における起動コスト(startup cost)が高いことが原因となっている。この高い加入過剰のために、移動体ユーザが利用可能な有効帯域幅、およびネットワーク・スループットが著しく低下する。
【０００４】
一例として、ＶＩＭ（音声インスタント・メッセージング）の典型的なＳＩＰコール・フローについてこれより説明する。典型的なＶＩＭセッション・セットアップおよびインスタント・メッセージ配信に対して、帯域幅要件およびトランザクション交換率は定量化されている。
【０００５】
ＳＩＰクライアントは、ＳＩＰ登録機関／サーバに到達したい場合、これに登録しなければならない。登録は、設定時間（例えば、１時間）だけ有効であり、登録の中にはクライアントのネットワーク・アドレスが含まれている。いずれの時点においても、クライアントがそのネットワーク・アドレスを変更した場合（例えば、ローミングの結果）、その登録機関に登録し直さなければならない。
【０００６】
図１は、ＳＩＰクライアントがＳＩＰ登録機関またはサーバに登録する際の典型的なコール・フローを示す。この手続が呼び出されるのは、移動体ネットワーク・アドレスにおいて１回でも変更が行われたとき、またはいずれかの設定時間期間が終了した後の内、どちらかが最初に発生したときである。以下に示す登録手続におけるトランザクション例は、１ＫＢを必要とする。
【０００７】
【表１】
2009515485.tif 000003
【０００８】
【表２】
2009515485.tif 000004
【０００９】
一旦登録を実行すると、ＳＩＰクライアントはネットワークを通じてメッセージを送信および受信することができる。図２は、ＳＩＰクライアントがＶＩＭメッセージを発信する際のコール・フローの一例を示す。この例では、ＳＩＰコール・フローは、１つのＶＩＭメッセージを配信するために、合計５．２５Ｋバイトおよび９回のＳＩＰトランザクションを要する。
【発明の開示】
【発明が解決しようとする課題】
【００１０】
ＳＩＰアプリケーション・サーバのシャーシ(chassis)に最大限負荷をかけるとすると、通例、２０，０００個のメディア・ポートに応対することができる。標準的な加入過剰モデルを用いると、このような構成は２，０００，０００人までの加入者に応対することができる。加入者当たりのトラフィックが０．０２アーラン、そして個々のメッセージが平均１０秒とすると、ＳＩＰアプリケーション・サーバが処理するＶＩＭメッセージの総数は、毎日２４，０００，０００、即ち、毎時１，０００，０００となる。ＶＩＭ当たり９回ＳＩＰメッセージを送るＳＩＰコール・フローの結果を用いると、このような構成では、総帯域幅５．２５ＧバイトのＳＩＰメッセージ・データ（オーバーヘッド）を利用して、毎時９，０００，０００回のＳＩＰトランザクションが生ずることになる。これらの数値は、移動体ネットワークにおいて、移動体端末にＳＩＰを拡張することは効率的でなく、したがって、このような環境ではスループットを高めるための改良が望ましいことを示す。
【課題を解決するための手段】
【００１１】
本発明の１つ以上の実施形態によれば、ワイヤレス通信システムにおいてアプリケーション・サーバと移動体加入者との間においてワイヤレス・トランザクションの回数を削減するための方法およびシステムを提供する。通信システムは、アプリケーション・サーバを通じてネットワーク・デバイスと通信する複数のワイヤレス移動体加入者を含む。移動体加入者の各々は、軽量クライアントを含み、アプリケーション・サーバは、移動体加入者毎にエリアスを含む。移動体加入者とネットワーク・デバイスとの間のセッション毎に、アプリケーション・サーバは、所与のプロトコルにしたがって、移動体加入者上に位置するクライアントにおいて処理することを意図したネットワーク・デバイスからの通信を受信する。システムは、移動体加入者上の軽量クライアントとアプリケーション・サーバ上にある移動体加入者毎のエリアスとの間において、通信の処理を分散させて、軽量クライアントが実行する処理、および移動体加入者とアプリケーション・サーバとの間におけるワイヤレス・トランザクションの回数を削減する。
【００１２】
本発明のこれらおよびその他の特徴や利点は、以下の詳細な説明から容易に明らかとなろう。以下の詳細な説明では、本発明の実施形態について、発明の最良の態様を例示しつつ、示しかつ説明する。認められて当然であろうが、本発明は、他の実施形態および異なる実施形態も可能であり、その詳細の一部は、種々の態様において修正が可能なこともあり、全て本発明から逸脱することにはならない。したがって、図面および説明は、性質上、例示として見なされるのであって、制限的または限定的な意味で捕らえてはならない。本願の範囲は、特許請求の範囲において示すものとする。
【発明を実施するための最良の形態】
【００１３】
図３は、本発明の１つ以上の実施形態によるワイヤレス通信システム１０を示す。このシステムは、複数の移動体加入者１２（移動デバイスまたは移動ノードとしても知られている）を含む。移動体加入者１２は、セルラ・フォン、ＰＤＡ（パーソナル・ディジタル・アシスタント）、モデムを有する移動体ＰＣ（パーソナル・コンピュータ）、およびその他の移動体計算デバイスのような、ワイヤレス・ネットワークと通信することができる、適したデバイスであればいずれでもよい。移動体加入者は、複数の基地局１４を通じて、ワイヤレス・ネットワークと通信する。基地局１４は、ディジタル・データを無線信号に、そしてその逆に変換することから、ネットワークと移動体加入者１２との間でインターフェースとして作用する。基地局１４の各々は、通例、関連する無線タワーまたはアンテナを有し、無線リンクを用いて種々の移動体加入者１２と通信する。即ち、基地局１４は、順方向信号の集合の変調および送信によって、種々の移動体加入者１２と通信することができ、一方基地局１４は、ワイヤレス・ネットワーク活動（例えば、電話呼、ウェブ閲覧セッション、インタラクティブ・ゲーム等）に関与する種々の移動体加入者１２からの逆方向信号の集合を受信し復調する。
【００１４】
ネットワーク１６は、（好ましくは、そのエッジ付近に）１つ以上のアプリケーション・サーバ１８を含み、アプリケーション・サーバ１８は、移動体加入者１２およびネットワーク・リソース２０を相互接続するために用いられる。ネットワーク・リソース２０とは、ネットワーク・サーバやメディア・サーバのような、その他のネットワーク・デバイスとすることができる。アプリケーション・サーバ１８は、他のネットワーク・デバイス２０と通信して、例えば、インスタント・メッセージング、プッシュ・ツー・トーク・サービス(push-to-talk service)、インタラクティブ・ゲーム、音楽ストリーミングおよびビデオ・ストリーミング、ならびに音声会議、ビデオ会議、およびウェブ会議を含む、多種多様なアプリケーションおよびサービスへのアクセスを移動体加入者１２に提供する。
【００１５】
従来のシステムでは、アプリケーション・サーバおよびその他のネットワーク・デバイスは、ＳＩＰをセッション制御メカニズムとして用いて、移動体加入者と通信する。これら従来のシステムでは、各移動体加入者がＳＩＰクライアントを含み、他のＳＩＰデバイスと通信することが可能となっている。本発明の種々の実施形態によれば、例えば図４に示すように、各移動体加入者１２のＳＩＰ機能性を、移動体加入者１２とアプリケーション・サーバ１８との間で分散させる。即ち、軽いＭＭ（マルチメディア）クライアント３０を移動体加入者１２上に実装して、ＳＩＰアプリケーション・サーバ１８に実装した加入者の画像３２、即ち、エリアスと通信する。軽いクライアント３０および加入者エリアス３２を合わせて、外部世界（即ち、移動体加入者との通信セッションの最中である、ネットワークにおける他のデバイス）に対する移動体加入者のＳＩＰ終点機能が完成する。移動体加入者のＳＩＰ機能性を移動体加入者１２とアプリケーション・サーバ１８との間で分散することにより、移動体加入者１２およびアプリケーション・サーバ１８は、軽量プロトコルを用いて通信することが可能となり、アプリケーション・サーバ１８と移動体加入者１２との間におけるワイヤレス・トランザクションの回数を大幅に削減することができる。
【００１６】
軽いクライアント３０は、例えば、移動体電話の間で普及しているＪ２ＭＥ（MIDP2.0, JSR135)規格を含む、種々の規格を用いて、移動体加入者１２内に実装することもできる。
【００１７】
ＳＩＰクライアントの機能性を移動体加入者１２とアプリケーション・サーバ１８との間で分散させることによって、多数の利点を得ることができる。無線で送信するＳＩＰメッセージの数を削減することによって、スループットが向上する。加えて、軽いＭＭクライアント３０は、中核となるアプリケーションに特定のコードのみを用いることが好ましく、ＳＩＰスタックを必要としないことが好ましいので、移動体加入者１２上におけるフットプリントが小さくなる。更に、ＭＭクライアント３０が必要とするＣＰＵサイクル数も減少する。何故なら、ＳＩＰ機能の多くまたは殆どを、アプリケーション・サーバ１８に位置するそのクローン３２に委託するからである。また、移動体加入者上における処理が減少することにより、移動体加入者が消費する電力も削減され、これによってデバイスのバッテリを再充電する間、時間間隔が延長する。加えて、必須でない機能を中核ネットワークに委託することによって、アプリケーション・サーバ１８の高帯域幅処理アーキテクチャを活用することができる。
【００１８】
図５は、図２の先行技術のコール・フローと比較するために提供する、本発明の１つ以上の実施形態によるＶＩＭコール・フローの一例を示す。図示のように、図５のコール・フローでは、移動体加入者とアプリケーション・サーバとの間には、２回のワイヤレス・トランザクションだけがあればよく、ＶＩＭメッセージを１回配信するために９回のトランザクションが必要となる図２のコール・フローとは異なる。
【００１９】
ＭＭクライアントは、アプリケーション・サーバへのアクセスに、リアル・タイム・トランスポート・プロトコル（ＲＴＰ）を用いることができる。スループットを高めるために、フレーム・サイズを大きくして、ＲＴＰパケット化の間隔を広くして用いることもできる。一例として、８ｋｂｐｓの符号化装置を用いる場合、１４００バイトのフレーム・サイズで、１秒より大きい音声データを搬送することができる。このような方式は、同じ１秒の音声データのために５０パケットを生成する標準的な２０ミリ秒パケット化率に対して、非常に効率的であると言うことができる。
【００２０】
移動体加入者１２上のＭＭクライアント３０とＳＩＰアプリケーション・サーバ１８におけるそのＳＩＰエリアス３２との間で用いられる軽量通信プロトコルは、コンパクトであり、好ましくは、拡張可能である。これは、３Ｇおよびその他のワイヤレス・データ・ネットワークのアプリケーション・スループットを大幅に高めることができる。軽量通信プロトコルＰＤＵ（プロトコル・データ単位）に可能な全体的な構造の１つを図６に示す。バージョン番号から始まり、その後にアプリケーションＩＤ等が続く固定長フィールドを収容する８ビット・ヘッダを用いることができる。Total Lenは、ＰＤＵの全長を表し、２バイト幅とすることができる。OpCodeは、２バイト幅とすることができ、制御命令、例えば、先のコール・フローに示す「メッセージ」を搬送する。多くの（例えば、６４，０００個の）異なる種類のオペコード(opcode)を定義することができる。２バイト・フィールドのLenは、OpCodeと関連のあるデータの長さを示す。Dataは、lenに続く、可変サイズのデータ・フィールドである。このフィールドのシンタックスは、オペコードに依存することができる。
【００２１】
本発明の１つ以上の実施形態によるＭＭクライアント３０は、クライアント３０をネットワークからダウンロードすることにより、移動体加入者１２上にインストールすることができる。あるいは、システム・ユーザが購入する移動体加入者１２上に、ソフトウェアを予めインストールしておくこともできる。一旦移動体加入者１２がクライアント・アプリケーション３０を有したなら、ＭＭクライアント３０の呼び出し毎に、好ましくは最初に関連するポータルをチェックして、最新バージョンのソフトウェアを有するか否か調べるように、システムを任意に構成することができる。最新バージョンでない場合、ポータルは、クライアントに、ソフトウェアを新バージョンに更新するように警告することができる。
【００２２】
以上、本願において記載した種々の例は、ＳＩＰプロトコルの使用に言及したが、本発明は、いずれの特定の標準的プロトコルと共に用いることにも限定されず、例えば、H.323プロトコルを含む、種々の通信プロトコルと共に用いることができることは言うまでもない。
【００２３】
ＭＭクライアント３０、加入者エリアス３２、および関連するプロセスは、好ましくは、ソフトウェアで実施し、したがって、好適な実施態様の１つは、それぞれのデバイスのランダム・アクセス・メモリ内に位置するコード・モジュールにおける命令（プログラム・コード）の集合と同様である。命令集合は、要求されるまで、別のコンピュータ・メモリ、例えば、ハード・ディスク・ドライブ、またはリムーバブル・メモリに格納しておいてもよく、あるいはインターネットまたはその他の何らかのコンピュータ・ネットワークを経由してダウンロードすることもできる。加えて、記載した種々の方法は、ソフトウェアによって選択的に活性化または構成変更できるデバイスに実装すると便利であるが、このような方法は、ハードウェア、ファームウェア、または指定した方法ステップを実行するように構築した、特殊性の高い装置においても実行可能であることも、当業者には認められよう。
【００２４】
以上、本発明の好適な実施形態について説明したが、本発明の主旨および範囲から逸脱することなく、修正が可能なことは明白なはずである。
【００２５】
以下に明記する方法の請求項において、ステップに付番されていたり、あるいはステップが文字によって指定されているが、ステップが出てくる特定の順序に必ず限定されると見なさないこととする。
【図面の簡単な説明】
【００２６】
【図１】図１は、先行技術にしたがって、ＳＩＰクライアントがＳＩＰ登録機関／サーバに登録する際のコール・フローの一例を示す。
【図２】図２は、先行技術にしたがって、ＳＩＰ移動体がＶＩＭメッセージを発信する際のコール・フローの一例を示す。
【図３】図３は、本発明の１つ以上の実施形態による移動体通信システムを示す。
【図４】図４は、本発明の１つ以上の実施形態による、移動体加入者とアプリケーション・サーバとの間におけるＳＩＰクライアント機能性の分散を示す。
【図５】図５は、本発明の１つ以上の実施形態にしたがってＳＩＰ移動体がＶＩＭメッセージを発信する際のコール・フローの一例を示す。
【図６】図６は、本発明の１つ以上の実施形態による、移動体デバイス・クライアントとＳＩＰアプリケーション・サーバにあるそのＳＩＰエリアスとの間における軽量通信プロトコルの全体的構造を示す。
【図１】
2009515485.tif 000005
【図２】
2009515485.tif 000006
【図３】
2009515485.tif 000007
【図４】
2009515485.tif 000008
【図５】
2009515485.tif 000009
【図６】
2009515485.tif 000010
【国際調査報告】
2009515485.tif 000011